(57)【要約】【課題】比較的大型の海藻類を大量に生産して燃料として活用する事が検討されている。この実現のためには収穫作業を含む養殖方法の低コスト化が必要と考えられる。【解決手段】天然海域において、固定部材１２の所定間隔毎に着生部材１１が設置されている養殖部材１を周知の支持部材２、浮力部材３、係留部材４により海水中の中層に設置して、気胞を持ち養殖部材１より上方に成長する海藻７を着生部材１１に自生させ、成長した段階で海面上の移動手段である船５に搭載された切断機６により海面上から海藻７を切断して収穫する。【選択図】図１
2011067173.tif 000002
【特許請求の範囲】
【請求項１】
海藻の養殖方法であって、天然海域の中層に設置された養殖部材に気胞を持ち養殖部材より上方に成長する海藻を自生させ、成長した段階で海面上から切断機で前記海藻を切断して収穫することを特徴とする海藻の養殖方法。
【請求項２】
海藻の養殖方法であって、海藻の養殖部材は、ロープ又は網からなる固定部材と、前記固定部材の少なくとも一部を覆う複数の着生部材とで構成され、前記養殖部材を天然海域の中層に設置して海藻を自生させることを特徴とする養殖方法。
【請求項３】
前記着生部材は、前記固定部材の少なくとも一部を覆う基体部と前記基体部の両端又は両端近傍に設けられ前記固定部材の軸方向と直交する板状の側面板部を有し、着生部材を固定部材の表面を覆う形で所定間隔毎に複数個設置することを特徴とする請求項１又は２に記載の養殖方法。
【請求項４】
前記着生部材の前記基体部に凹部を複数設けたことを特徴とする請求項１から３のいずれか１項に記載の養殖方法。
【請求項５】
前記着生部材の前記側面板部材を両端とし、前記軸部材及び前記基体部を軸方向に取り巻く空間の一部を薄い板状部材である覆い部材で覆ったことを特徴とする請求項３又は４項に記載の養殖方法。
【請求項６】
前記着生部材の材料は可撓性の樹脂であり、少なくとも１箇所に周方向に分離可能な接合面を有し、前記接合面を固定することで前記着生部材を前記固定部材に固定することを特徴とする請求項１から５のいずれか１項に記載の養殖方法。
【請求項７】
前記養殖部材を、前記海藻の既設の養殖地又は天然の自生地に係留して前記養殖部材に胞子を着床させた後移設して前記海藻を養殖することを特徴とする請求項１から６のいずれか１項に記載の養殖方法。
【請求項８】
前記養殖部材を、前記海藻の既設養殖地の近傍に増設して増設した前記養殖部材に胞子を着床させることで養殖地の面積を拡大することを特徴とする請求項１から７のいずれか１項に記載の養殖方法。
【発明の詳細な説明】
【技術分野】
【０００１】
本発明は主としてバイオ燃料としての海藻の養殖に使用する養殖装置、およびその装置を使用した養殖方法に関するものである。
【背景技術】
【０００２】
近年二酸化炭素問題対策のひとつとして植物資源を燃料（いわゆるバイオ燃料）として活用する動きがあり、その中で植物資源のひとつとしてホンダワラや昆布等の海底または海水中に係留された養殖部材に生育する比較的大型の海藻類を大量に生産して活用することも検討されている。海藻類の生産量を拡大し、従来の穀物を使用したバイオ燃料とは異なるバイオ燃料を作るという構想である。
【０００３】
海藻類の養殖は従来食物としての生産又は漁業の基礎となる藻場の造成のために行われている。食用としてのホンダワラや昆布等の養殖方法は中層延べ縄方式と呼ばれる方法が主に用いられている。この方法では、陸上の施設で種苗を育成して、この種苗を取り付けた養殖ロープを海藻の生育に適した天然海域に設置して種苗を成長させ、成長した海藻を養殖ロープと一緒に船上に引き揚げ、船上又は陸上で収穫するという方法が一般的に用いられている。種苗を育成する方法のひとつとして、陸上の施設において小ブロック上の着生部材表面に幼胚を着生させ、着生部材とともに水槽内で育成してある程度の大きさに成長した時点で小ブロックをロープ等の固定部材に取り付け天然海域に設置する方法が特許文献１に開示されている。
【０００４】
藻場の造成のためには海藻の種苗を最初に用い、その後は成長した海藻から放出される胞子や幼胚等（以下「胞子」と言う）が自然着床して成長する（以下、胞子が自然着床して成長することを「自生」と言う）ことで、藻場を永続的に造成する方法が一般的に用いられている。この方法のひとつとしては、図８に示すように基盤１００に複数本の柱体を立設した構造物を海底に設置して、海藻の種苗２００を一部の柱体３００に取り付け成長させるとともに、その海藻から放出される胞子により他の柱体４００にも海藻を自生させ永続性のある海中林を造成する
技術が特許文献２に開示されている。
【０００５】
海藻の収穫についても、バイオ燃料の材料としてのコストダウンを目的として海面上の船から海藻の切断機を降ろし、ロープ等の養殖部材に養殖した海藻の付着部を残して切断して収穫する方法が特許文献３、特許文献４に開示されている。この方法は海面上から切断機を降ろして海藻を切断するため、切断箇所が養殖部材より海面側であることが望ましく、海藻が気胞を持ち養殖部材より上方に成長する海藻例えばホンダワラやジャイアントケルプ等がこの収穫方法に適している。
【先行技術文献】
【特許文献】
【０００６】
【特許文献１】特開２００７−１３５５２３
【特許文献２】特開２０００−０６９８７８
【特許文献３】特開２００８−２９７５３１
【特許文献４】特願２００９−００３５９５
【発明の概要】
【発明が解決しようとする課題】
【０００７】
食用としてのホンダワラや昆布等の養殖に主に用いられている中層延べ縄方式と呼ばれる方法では、前述したように陸上の施設で種苗を育成して、この種苗を取り付けた養殖ロープを天然海域で海藻の生育に適した水深に設置して種苗を成長させ、成長した海藻を養殖ロープと一緒に船上に引き揚げ船上又は陸上で収穫をしている。この方法は種苗の育成、取り付け、養殖ロープの設置と収穫段階のそれぞれで多大な人手と時間を必要としている。結果としてバイオ燃料の材料として用いるためにはコストが高いものになっている。
【０００８】
特許文献１に開示された方法は着生部材表面に幼胚を着生させ、着生部材とともに水槽内で育成してある程度大きさに海藻が成長した時点で、種苗となる海藻を着生部材とともにロープ等の固定部材に取り付け天然海域に設置している。種苗の育成と固定部材の取り付け段階以外は従来の方法と同じで、養殖ロープの設置と収穫段階で従来方式と同様に多大な人手と時間を必要としているため、従来の方法と同様にコストがバイオ燃料の材料として用いるためには高いものになっている。
【０００９】
特許文献２に開示されている複数本の柱体を立設した構造物を海底に設置して、海藻の種苗を一部の柱体に取り付け成長させ、成長した海藻から放出される胞子により他の柱体にも海藻を自生させ永続性のある海中林を造成する方法においては、養殖を開始する最初の一回だけ種苗を使用し、その後海藻を永続的に成長させることができるため養殖段階のコストは低減できるが、海底の凹凸が収穫の機械化を難しくするため大量に安く収穫することは困難と考えられる。
【００１０】
前述した特許文献３、特許文献４にバイオ燃料の材料としてのコストダウンを目的として海面上の船から海藻の切断機を降ろしロープ等の養殖部材に養殖した気胞を持った多年生の海藻の付着部を残して切断して収穫する方法が開示されている。この方法では収穫するために成長した海藻を養殖ロープと一緒に船上に引き揚げる必要を無くすことでかなりのコストダウンが期待されている。しかし、従来と同じように種苗を用いる養殖方法を用いた場合、多年生の海藻でも海藻の寿命より短い数年毎にロープを引き揚げ、陸上又は船上でロープに種苗を取り付ける必要があり、ロープを引き揚げず海面上から収穫する方法のメリットを低減してしまう。又、海藻が流失又は枯死することで年々収穫が減少することも避けられない。このことから、海藻を安く大量に生産するためには、収穫のためにロープを引き揚げる必要がない機械化された収穫方法とともに、ロープを引き揚げて種苗を取り付けなくても海藻を長期間生育でき、かつ機械化された収穫方法に適した海藻の養殖方法が必要であると考えられる。しかし、特許文献３、特許文献４にはこの点の改良に関する記載はない。
【００１１】
前述したような状況を踏まえ出願人はバイオ燃料用としての海藻を安く大量に生産するためには、海面上から切断機で海藻を切断して収穫するのに適した気胞を持ち養殖部材より上方に成長する海藻を、種苗を用いずに天然海域に設置された養殖部材に自生させ、成長した段階で海面上から切断機で海藻を切断して収穫する方法が最も適していると考えている。この方法によれば、一度養殖装置を設置すればその後毎年海藻が自生し成長するため、陸上の施設での種苗の育成、種苗を取り付けた養殖ロープの天然海域への設置、成長した海藻と養殖ロープの船上への引き揚げ作業等を収穫の度に行う必要が無くなるとともに、船上又は陸上での収穫などの作業も大幅に簡単になり、大幅なコストダウンが可能になる。
【００１２】
海藻を自生させて養殖する技術に関して、海底の藻場形成において海藻を人工の構造物である養殖部材に自生させる技術は特許文献２にも開示されている。しかし、気胞を持つ海藻を天然海域の中層に設置された養殖部材に自生させ養殖する技術に関して公開されたものはない。海藻から放出された胞子が養殖部材に着床して天然海域でも安定して成長できる段階まで生育するためには、胞子が海流により流失しないように少なくとも部分的には流れが静かで、少なくとも成長の初期段階では魚等の食害から守られ、適度な日射等の条件を満たし、かつ海藻の付着器（仮根）がしっかり付着できる表面と周辺空間が養殖部材の表面上に必要であると考えられる。しかし、天然海域の中層に設置されたロープ又は網単独の養殖部材では、ロープ又は網の表面が海流の流れを直接受ける、食害に対して無防備である等により前述した条件を安定的に満たすことが多くの場合困難である。この対策として、天然海域の中層に設置された養殖部材の固定部材であるロープ又は網に前述した条件を満たすことができる表面と周辺空間を作ることができる着生部材を取り付けることで、海藻が自生できる可能性を高めることができると考えられるが、実用的なものはなかった。又、前述した条件は目的とする海藻と養殖部材を設置する場所によって異なるため、目的とする海藻と設置する場所に適した着生部材の仕様を短期間に求めることができるようにすることも実用面では重要な課題である。
【００１３】
請求項１の発明は、天然海域において中層に設置された養殖部材に気胞を持ち養殖部材より上方に成長する海藻を自生させ、成長した段階で海面上から切断機で海藻を切断して収穫することを特徴とする海藻の養殖方法である。養殖部材に海藻を自生させるため、一度養殖装置を設置すればその後毎年海藻が自生し成長するため、陸上の施設での種苗を育成、種苗を取り付けた養殖ロープの天然海域への設置、成長した海藻と養殖ロープの船上への引き揚げ等の作業を収穫の度に行う必要が無くなるとともに、海藻が持つ気胞のため海藻が養殖部材から上方に成長するため、船から海藻を切断して収穫することが容易であり、収穫作業も大幅に簡単になり大幅なコストダウンが可能になる。この場合、多年生の海藻の付着部を残して切断する収穫方法を用いることで残された付着部から引き続き成長する海藻に加えて、流失又は枯死することで減少した海藻分を養殖部材に新たに自生した海藻により補うことで、より永続的に安定した収穫が期待できる。
【００１４】
請求項２の発明は、ロープ又は網からなる固定部材と、固定部材の少なくとも一部を覆う複数の着生部材とで構成され、養殖部材を天然海域の中層に設置して海藻を自生させることを特徴とする養殖方法である。固定部材であるロープ又は網の少なくとも一部を覆う着生部材により目的とする海藻が固定部材だけでは自生が困難な環境においても、着生部材を用いることで海藻の胞子が着床しやすく強固に付着できる環境を作ることで、海藻が自生しやすい環境を局部的に形成することができる。なお、請求項２以下の発明は天然海域の中層に設置された養殖部材に海藻を自生させるための技術に関わるものであり、養殖対象とする海藻は気胞をもたない海藻に対しても適用可能なものである。
【００１５】
請求項３の発明は、着生部材は、固定部材の少なくとも一部を覆う基体部と基体部の両端又は両端近傍に設けられ固定部材の軸方向と直交する板状の側面板部を有し、着生部材を固定部材の表面を覆う形で所定間隔毎に複数個設置することを特徴とする養殖方法である。着生部材の基体部の両端又は両端近傍に設けられ固定部材の軸方向と直交する板状の側面板部により、少なくとも成長の初期段階では魚等の食害から守られ、海流と日射をある程度制御できる空間を容易に固定部材の表面に作ることができる。又、着生部材を固定部材の表面を覆う形で長さ方向の所定間隔毎に設置することで海藻の密生を防ぎながら目的とする海藻が自生し成長できる可能性を高めることができる。
【００１６】
請求項４の発明は、着生部材の基体部に凹部を複数設けたことを特徴とする養殖方法である。基体部の凹部により凹部内に局所的に海流が非常に弱い環境を作ることで胞子が着生部材に着床することを容易にすることができる。
【００１７】
請求項５の発明は、着生部材の側面板部を両端とし、軸部材及び基体部を軸方向に取り巻く空間の一部を薄い板状部材である覆い部材で覆ったことを特徴とする養殖方法である。覆い部材の大きさと、必要により着色した半透明の材料を用いることで、側面板部に挟まれた空間の海水の流速や日射量、透過光の色等の環境をより大きく変えることができ、目的とする海藻が自生できる可能性をより高めることができる。なお、覆い部材は一部分だけを側面板部に固定された可撓性の薄板でできているため海藻は成長に伴って覆い部材を押しのけて側面板部に挟まれた空間の外部に成長することができる。
【００１８】
請求項６の発明は、着生部材の材料は可撓性の樹脂であり、少なくとも１箇所に周方向に分離可能な接合面を有し、接合面を固定することで着生部材を固定部材に固定すること特徴とする養殖方法である。着生部材の接合面を周方向に広げた状態で長い固定部材を包み込んだ後接合面を固定することで長い固定部材の任意の位置に着生部材を容易に固定することができる。又、着生部材を着脱可能に固定すれば、必要により着生部材のみを取り替えることが可能であるため養殖部材のメンテナンスが容易になる。又、各種の仕様の着生部材を一つの固定部材に容易に取り付けることができるので、新しい養殖地を開拓する場合新しい養殖地に適した着生部材の仕様の検討及び確認を短期間で行うことができる。
【００１９】
請求項７の発明は、養殖部材を、海藻の既設の養殖地又は天然の自生地に係留して養殖部材に胞子を着床させた後移設して海藻を養殖することを特徴とする養殖方法である。新しい養殖地を開拓する場合、従来と同様種苗を使って養殖を始めて海藻が一度成長した後はその海藻から供給される胞子を自生させることも考えられるが、比較的近くの別の場所に既設の養殖地又は天然の自生地がある場合、養殖部材を既設の養殖地又は天然の自生地に係留して養殖部材に胞子を着床させた後新しい養殖地に移設して海藻を養殖することで種苗を使わずに養殖を開始することができる。種苗を用いずに養殖を開始できるため、種苗を育成し養殖部材に取り付ける設備、手間が省けるのでコスト的に有利である。
【００２０】
請求項８の発明は、養殖部材を海藻の既設養殖地の近傍に増設して増設した養殖部材に胞子を着床させることで養殖地の面積を拡大することを特徴とする養殖方法である。既設の養殖地の近傍には養殖されている海藻からの胞子が海流により供給されるため、養殖部材をその近傍に増設して増設された養殖部材に胞子を着床させることで種苗を用いずに養殖地の面積を拡大することができる。
【図面の簡単な説明】
【００２１】
【図１】本発明に係る養殖装置と養殖方法の全体概要説明図である。
【図２】養殖部材１の着生部材１１と固定部材１２の一部分の側面図である。
【図３】図２のローマ数字３−ローマ数字３断面図である。
【図４】養殖部材１を変更した事例（第二実施事例）の着生部材１１と固定部材１２の一部分の側面図である。
【図５】図４のローマ数字５−ローマ数字５断面図である。
【図６】養殖部材１を変更した事例（第三実施事例）の着生部材１１と固定部材１２の一部分の側面図である。
【図７】図６のローマ数字７−ローマ数字７断面図である。
【図８】従来技術の一実施例を示した図である。
【発明を実施するための形態】
【００２２】
図１は養殖装置と養殖方法の全体概要説明図である。天然海域において養殖部材１を周知の支持部材２、浮力部材３、係留部材４により海水中の中層に設置して、気胞を持ち養殖部材１より上方に成長する海藻７を自生させ、成長した段階で海面上の移動手段である船５から切断機６を降ろして、又は養殖部材１の設置深度を浅くして船５に搭載された切断機６により海面上から海藻７を切断して、図示していない揚水ポンプ等で船５に引き上げることにより収穫する。海面上から切断機６で海藻７を切断して収穫するためには気胞を持ち養殖部材１より上方に成長する海藻７が適している。固定部材１２より下方に成長する海藻７の場合切断機６を固定部材１２より下側まで降ろす必要があり、固定部材１２が邪魔になり海面上から切断機６で海藻７を切断して収穫するためには適していないためである。
【００２３】
養殖部材１は右下の一部拡大図に示すように、着生部材１１とロープ又は網からなる固定部材１２により構成され、固定部材１２の所定間隔毎に着生部材１１が複数個設置されている。養殖装置に海藻７が自生する段階では成長している海藻７から放出された胞子が、着生部材１１に着床し、着生部材１１の表面と周辺空間で成長する。着生部材１１により海藻７が自生するために必要な局所的な環境を人工的に作り出すことが出来るため、海藻７が自生できる可能性を固定部材１２だけの場合よりも高める事ができる。又、着生部材１１を固定部材１２の表面を覆う形で長さ方向の所定間隔毎に設置することで、海藻７の密生を防ぎながら目的とする海藻７が自生し成長できる可能性を高めることができる。又、海藻７が成長した段階で海面上の船から海藻７の切断機６を降ろし海藻７を収穫することで、陸上の施設での種苗の育成、種苗を取り付けた養殖部材１の天然海域への設置、成長した海藻７と養殖部材１の船上への引き揚げ等の作業を収穫の度に行う必要が無くなるとともに、海藻７が持つ気胞のため海藻７が養殖部材１から上方に成長するため船から海藻７を切断して収穫することが容易であり、収穫作業も大幅に簡単になり大幅なコストダウンが可能になる。この場合、多年生の海藻７の付着部を残して切断する収穫方法を用いることで残された付着部から引き続き成長する海藻７に加えて、流失又は枯死することで減少した海藻７を養殖部材１に新たに自生した海藻７により補うことで、より永続的に安定した収穫が期待できる。又、海藻７が気胞を持つため養殖部材１から上方に成長するため船から海藻７を切断して収穫することが容易である。なお、養殖部材１に関する技術は、天然海域の中層に設置された養殖部材１に海藻７を自生させるためのものであり、気胞をもたない海藻７に対しても適用可能である。
【００２４】
図２は養殖部材１の着生部材１１と固定部材１２の一部分の側面図であり、図３は図２のローマ数字３−ローマ数字３断面図である。養殖部材１は前述したように、着生部材１１と固定部材１２により構成され、固定部材１２の表面を覆う形で固定部材１２の長さ方向の所定間隔毎に着生部材１１が設置されている。着生部材１１は、海藻７が自生するために必要な局所的な環境を人工的に作り出すことにより、目的とする海藻７が自生できる可能性を高めるものである。着生部材１１の基体部１１Ａは基体筒部１１Ａ１と基体凸部１１Ａ２からなり、海藻７の胞子が着床して付着器が付着する部材であり、固定部材１２の少なくとも一部を覆う固定部材１２とは異なる表面環境を容易に形成することができる。基体筒部１１Ａ１の表面には幅と深さが０．５ｍｍから２ｍｍ程度の凹部１１Ｂが複数刻まれている。凹部１１Ｂの形状は溝でも孔でもよい。凹部１１Ｂの内部は海水の流速が殆どないため胞子が流失しにくく胞子の着床に適した環境になっている。基体凸部１１Ａ２は強度部材であるとともに、凹部１１Ｂの回りの流速を低減している。基体部１１Ａの両端又は両端近傍に設けられ固定部材１２の軸方向と直交する板状で高さが１０ｍｍから１００ｍｍ程度の側面板部１１Ｃと必要によりその中間に中間板部１１Ｄが設けられている。側面板部１１Ｃ、中間板部１１Ｄの板部間の間隔は１０ｍｍから５０ｍｍ程度が適当である。これらの板部により少なくとも成長の初期段階の海藻７を魚等の食害から守ることができるとともに、これらの板部により板部で挟まれた筒状の空間内部の流速と日射時間をある程度制御できる。このため、目的とする海藻７が固定部材１２であるロープ又は網だけでは自生することが困難な海藻７あるいは環境においても、自生しやすい局部的な環境を人工的に形成することができ、目的とする海藻７が自生できる可能性を高めることができる。
【００２５】
着生部材１１の材料は可撓性の樹脂であり、少なくとも１箇所に周方向に分離可能な接合面１１Ｆを有し、接合面１１Ｆを接合部材１１Ｅにより着脱可能に固定することで着生部材１１を固定部材１２に固定している。接合方法は基体部１１Ａからの凸部を軸方向から圧入した接合部材１１Ｅで挟み込む方法を例示しているが、必要な接合強度を持つものであればねじや、孔と突起の嵌合等周知の方法を用いることができる。着脱できる必要がなければ溶着や接着等でもよい。着生部材１１の材料が可撓性の樹脂であるため接合面１１Ｆを周方向に広げた状態で長い固定部材１２を包み込んだ後接合面１１Ｆを固定することで長い固定部材１２の任意の位置に着生部材１１を容易に固定することができる。又、着生部材１１を着脱可能に固定することで、必要により着生部材１１のみを取り替えることが可能であるため養殖部材１のメンテナンスが容易になる。又、各種の仕様の着生部材１１を一つの固定部材１２に容易に取り付けることができるので、新しい養殖地を開拓する場合新しい養殖場の適した着生部材１１の仕様の検討及び確認を短期間で行うことができる。
【００２６】
固定部材１２に網を用いた場合着生部材１１を網の結び目に固定してもよい。この場合、基体部１１Ａは円筒状ではなく平面状で、海面側に凹部１１Ｂ、側面板部１１Ｃ、後述する覆い部材１１Ｇ等を配置したものであってもよい。
【００２７】
図４は前記した事例（第一実施事例）の養殖部材１を変更した事例（第二実施事例）の側面図であり、図５は図４のローマ数字５−ローマ数字５断面図である。第一実施事例とは、着生部材１１の基体部１１Ａが異なっており、第一実施事例の基体筒部１１Ａ１と凹溝部１１Ｂが廃止されて軸方向に伸びる複数の基体棒部１１Ａ３で構成されている。この結果、固定部材１２の表面が直接海流に接することになり胞子は固定部材１２の表面に着床することになる。固定部材１２であるロープ又は網の表面は多数の凹凸があり、側面板部１１Ｃ等により魚等の食害から守られ流速と日射時間がある程度制御されているため、胞子が着床し生長するためには適した環境になっており、さらに海藻７の付着器が直接固定部材１２の表面に付着することができるのでより強固に付着できる。
【００２８】
図６は前記した事例（第一実施事例）の養殖部材１を変更した事例（第三実施事例）の側面図であり、図７は図６のローマ数字７−ローマ数字７断面図である。第一実施事例と同じ着生部材１１の側面板部１１Ｃを両端とし、軸部材１２及び基体部１１Ａを軸方向に取り巻く空間の一部を薄い板状部材である覆い部材１１Ｇで覆っている。覆い部材１１Ｇの大きさを変えることと、必要により着色した半透明の材料を用いることで、側面板部１１Ｃに挟まれた空間の海水の流速や日射量、透過光の色等の環境を覆い部材１１Ｇがない場合よりも大きく変えることができ、目的とする海藻７が自生できる可能性をより高めることができる。なお、覆い部材１１Ｇは可撓性の薄板部１１Ｇ１と棒状部１１Ｇ２とからなり、棒状部１１Ｇ２が側面板部１１Ｃに固定され薄板部１１Ｇ１は固定されていないため海水は流入することができ、海藻７は成長に伴って薄板部１１Ｇ１の先端側を押しのけて側面板部１１Ｃに挟まれた空間の外部に成長することができる。
【００２９】
新しい養殖地を開拓する場合において養殖装置に海藻７が自生を始める最初の段階では、従来と同様に種苗を使って養殖を始めて、海藻７が一度成長した後はその海藻７から供給される胞子を自生させることが考えられる。別の方法としては、比較的近くの別の場所に既設の養殖地又は天然の自生地がある場合、海藻７を既設の養殖地又は天然の自生地に係留して養殖部材１に胞子を着床させた後新しい養殖地に移設して海藻７を養殖することで種苗を使わずに養殖を開始することができる。種苗を用いずに養殖を開始できるため、種苗を育成し養殖部材１に取り付ける設備、手間が省けるのでコスト的に有利である。
【００３０】
海藻７が自生できる条件は目的とする海藻７と養殖部材１を設置する場所によって異なるため、新しい養殖地を開拓する場合、目的とする海藻７と設置する場所に適した着生部材１１の仕様を短期間に求めることができることも実用面では重要な課題である。複数の異なる仕様の着生部材１１を固定部材１２に取り付けた養殖部材１を設置して海藻７が自生できる条件すなわち着生部材１１の仕様を求めることで新しい養殖地に適した着生部材１１の仕様を短期間に求めることができる。
【００３１】
養殖地面積を拡大する段階では、養殖部材１を既設の養殖地の近傍に増設して増設された養殖部材１に胞子を着床させ自生させることで養殖地の面積を拡大することができる。既設の養殖地の近傍には養殖されている海藻７からの胞子が海流により供給されるため、養殖部材１をその近傍に増設して増設された養殖部材１に胞子を着床させることで種苗を用いずに養殖地の面積を拡大することができる。
【符号の説明】
【００３２】
１・・・・養殖部材
１１・・・着生部材
１２・・・固定部材
２・・・・支持部材
３・・・・浮力部材
４・・・・係留部材
５・・・・移動手段（船）
６・・・・切断機
７・・・・海藻
【図１】
2011067173.tif 000003
【図２】
2011067173.tif 000004
【図３】
2011067173.tif 000005
【図４】
2011067173.tif 000006
【図５】
2011067173.tif 000007
【図６】
2011067173.tif 000008
【図７】
2011067173.tif 000009
【図８】
2011067173.tif 000010